(57)【要約】      （修正有）【課題】簡素な構成によって製造コストを抑えると共に、傾斜地への設置を容易にし、さらに、組立後のガタを最少にする柵を提供する。【解決手段】柵は、一対の支柱と、上下に配置される一対の胴縁１０と、両端がそれぞれ胴縁１０に連結される縦格子３０と、胴縁１０内に挿入されて縦格子３０の端部を把持する支持材２０と、を有する。胴縁１０に縦格子３０が挿入自在な挿入孔１１が形成され、縦格子３０の両端部に正面視で片側略Ｖ字状の凹部３８と先端に面取り部３５が形成され、支持材２０が狭搾部と狭搾部につながって拡大する懐部２６とを具備する正面視で略Ω（オメガ）状であって、挿入孔１１を挿入した縦格子３０の先端が懐部２６に挿入すると共に、縦格子３０の凹部が支持材２０の狭搾部に把持される。【選択図】図５
2007218026.tif 000002
【特許請求の範囲】
【請求項１】
上下に配置される一対の胴縁と、両端がそれぞれ前記胴縁に連結される縦格子と、前記胴縁内に挿入されて前記縦格子の端部を把持する支持材と、柱とを有する柵であって、
前記胴縁に前記縦格子が挿入自在な挿入孔が形成され、
前記縦格子の両端部に凹部が形成され、
前記支持材の断面が、狭搾部と該狭搾部につながって拡大する懐部とを具備し、前記挿入孔を挿入した前記縦格子の先端が前記支持材の懐部に挿入すると共に、前記縦格子の凹部が前記支持材の狭搾部に把持されることを特徴とする柵。
【請求項２】
前記縦格子の先端の角部が面取られていることを特徴とする請求項１記載の柵。
【請求項３】
前記縦格子が断面円形の管であって、前記凹部が断面略楕円状であることを特徴とする請求項１または２記載の柵。
【請求項４】
前記支持材の断面が、前記懐部から狭搾部に向かって略ハ字状に狭まると共に、前記狭搾部から外部に向かって略ハ字状に広がる略Ω（オメガ）状であることを特徴とする請求項１乃至３の何れかに記載の柵。
【請求項５】
前記支持材がばね鋼板によって形成され、前記縦格子の先端が前記支持材の懐部に挿入される際、前記支持材の狭搾部が押し広げられることを特徴とする請求項１乃至４の何れかに記載の柵。
【請求項６】
上下に配置される一対の胴縁と、両端がそれぞれ前記胴縁に連結される縦格子と、前記胴縁内に挿入されて前記縦格子の端部を把持する支持材とを有する柵用パネルであって、
前記胴縁に前記縦格子が挿入自在な挿入孔が形成され、
前記縦格子の両端部に凹部が形成され、
前記支持材の断面が、狭搾部と該狭搾部につながって拡大する懐部とを具備し、前記挿入孔を挿入した前記縦格子の先端が前記支持材の懐部に挿入すると共に、前記縦格子の凹部が前記支持材の狭搾部に把持されることを特徴とする柵用パネル。
【発明の詳細な説明】
【技術分野】
【０００１】
本発明は柵および柵用パネル、特に、パイプ製の柵および柵用パネルに関する。
【背景技術】
【０００２】
従来、車道と歩道との分離する柵（パイプフェンス）、道路の中央分離帯等に設置される柵（ガードフェンス）、公園などの境界柵や案内柵等は、上下に配置される一対の胴縁と、両端がそれぞれ前記胴縁に溶接される縦格子とから構成されていた。ところが、かかる溶接による接続では、柵を傾斜地に設置する際、傾斜の程度に応じて、それぞれの角度になるよう胴縁に縦格子を斜めに溶接する必要が生じ、製造管理および在庫管理が煩雑になるという問題があった。
このため、溶接に替えて、機械的に胴縁に縦格子を連結し、設置現場において両者の傾斜角度を調整自在にする技術が開示されている（例えば、特許文献１参照）。
【０００３】
【特許文献１】特開２００４−３６０３７２（第３−４頁、図５）
【発明の開示】
【発明が解決しようとする課題】
【０００４】
しかしながら、特許文献１に開示された技術には以下の問題があった。すなわち、該技術は、縦格子の両端部に角パイプが溶接または両端部が角パイプ状に絞り加工され、該角パイプ部に貫通孔が形成されている。また、胴縁には角パイプが挿入可能な角穴が形成されている。そして、縦格子の角パイプ部が胴縁の角穴に挿入された状態で、胴縁内に係止棒を挿入し、該係止棒を前記貫通孔に挿通させることによって、縦格子と胴縁との連結するものである。
（あ）このため、角パイプの溶接または角パイプ状の絞り加工が高価であるため、コスト競争力が劣るという問題があった。
（い）また、長尺の係止棒が撓む（弾性変形する）ため、係止棒を前記貫通孔に挿通させる作業が困難であって、作業性が悪いという問題があった。
（う）さらに、前記作業性を改善するため、貫通孔を大きくすると、組立後のガタ（遊び）が大きくなるという問題があった。
【０００５】
本発明は、このような問題を解決するためになされたものであり、簡素な構成によって製造コストを抑えると共に、設置現場における施工を容易にし、さらに、組立後のガタを最少にする柵および柵用パネルを提供することを目的とする。
【課題を解決するための手段】
【０００６】
（１）本発明に係る柵は、上下に配置される一対の胴縁と、両端がそれぞれ前記胴縁に連結される縦格子と、前記胴縁内に挿入されて前記縦格子の端部を把持する支持材と、柱とを有するものであって、
前記胴縁に前記縦格子が挿入自在な挿入孔が形成され、
前記縦格子の両端部に凹部が形成され、
前記支持材の断面が、狭搾部と該狭搾部につながって拡大する懐部とを具備し、前記挿入孔を挿入した前記縦格子の先端が前記支持材の懐部に挿入すると共に、前記縦格子の凹部が前記支持材の狭搾部に把持されることを特徴とする柵。
【０００７】
（２）また、前記縦格子の先端の角部が面取られていることを特徴とする。
（３）また、前記縦格子が断面円形の管であって、前記凹部が断面略楕円状であることを特徴とする。
【０００８】
（４）また、前記支持材の断面が、前記懐部から狭搾部に向かって略ハ字状に狭まると共に、前記狭搾部から外部に向かって略ハ字状に広がる略Ω（オメガ）状であることを特徴とする。
（５）また、前記支持材がばね鋼板によって形成され、前記縦格子の先端が前記支持材の懐部に挿入される際、前記支持材の狭搾部が押し広げられることを特徴とする。
【０００９】
（６）さらに、本発明に係る柵用パネルは、上下に配置される一対の胴縁と、両端がそれぞれ前記胴縁に連結される縦格子と、前記胴縁内に挿入されて前記縦格子の端部を把持する支持材とを有するものであって、
前記胴縁に前記縦格子が挿入自在な挿入孔が形成され、
前記縦格子の両端部に凹部が形成され、
前記支持材の断面が、狭搾部と該狭搾部につながって拡大する懐部とを具備し、前記挿入孔を挿入した前記縦格子の先端が前記支持材の懐部に挿入すると共に、前記縦格子の凹部が前記支持材の狭搾部に把持されることを特徴とする。
【発明の効果】
【００１０】
本発明に係る柵は以上の構成であるから、以下の効果を奏する。
（ｉ）本発明に係る柵体は、胴縁に縦格子が挿入自在な挿入孔が形成され、縦格子の両端部に凹部が形成され、支持材の断面が、狭搾部と該狭搾部につながって拡大する懐部とを具備し、挿入孔を挿入した縦格子の先端が前記支持材の懐部に挿入すると共に、該縦格子の凹部が前記支持材の狭搾部に把持されるから、部材構成が簡素であって、施工が容易である。
特に、挿入孔を丸孔にすれば、加工が迅速かつ安価になる。また、凹部が狭搾部に挟まれたまま縦格子が傾動するため、設置場所の傾斜に応じた角度に縦格子を倒すことができると共に、組立後のガタが最少に抑えられる。
【００１１】
（ｉｉ）また、縦格子の先端の角部が面取られているから、縦格子の先端が支持材の狭搾部をさらに容易に通過することができる。
（ｉｉｉ）また、断面円形の管からなる縦格子の一部を断面略楕円状に加工して凹部を形成しているから、加工が容易かつ安価である。
【００１２】
（ｉｖ）また、支持材の断面が、懐部から狭搾部に向かって略ハ字状に狭まると共に、前記狭搾部から外部に向かって略ハ字状に広がる略Ω（オメガ）状であるから、懐部への縦格子の挿入が容易である。また、挿入した縦格子の凹部が支持材の狭搾部に確実に把持されると共に、確実に把持された状態で、縦格子を傾動することができる。
（ｖ）さらに、前記支持材がばね鋼板によって形成されているから、縦格子の先端が支持材の懐部に挿入される際に押し広げられた支持材の狭搾部は、該挿入後に再度弾性復元して縦格子の凹部を確実に把持する。また、縦格子を倒した状態であっても、長期間にわたって確実に把持を継続することができる。
【００１３】
（ｖｉ）さらに、本発明に係る柵用パネルは以上の構成であるから、部材構成が簡素であって、施工が容易である。特に、挿入孔を丸孔にすれば、加工が迅速かつ安価になる。また、凹部が狭搾部に挟まれたまま縦格子が傾動するため、設置場所の傾斜に応じた角度に縦格子を倒すことができると共に、組立後のガタが最少に抑えられる。
【発明を実施するための最良の形態】
【００１４】
［実施形態１：柵］
（全体構成）
図１は本発明の実施形態１に係る柵を示す正面図である。図１において、柵１は、一対の胴縁１０ａ、１０ｂと、両端がそれぞれ胴縁１０ａ、１０ｂに連結された縦格子３０ａ、３０ｂ・・・・と、胴縁１０ａ内に挿入されて縦格子３０ａ、３０ｂ、３０ｃ・・・・の一方の端部を把持する支持材２０ａ、２０ｂ（破線にて示す）と、胴縁１０ｂ内に挿入されて縦格子３０ａ、３０ｂ、３０ｃ・・・・の他方の端部を把持する支持材２０ｃ、２０ｄ（破線にて示す）と、地面２に立設された一対の支柱３ａ、３ｂとを有する。
【００１５】
なお、支柱３ａ、３ｂについて、胴縁１０ａ、１０ｂについて、支持材２０ａ、２０ｂ、２０ｃ、２０ｄについて、および縦格子３０ａ、３０ｂ、３０ｃ・・・・について、それぞれに共通する内容を説明する際は、添え字「ａ、ｂ・・・・」を省略して、それぞれ「胴縁１０」、「支持材２０」および「縦格子３０」と称する。また、以下の各部材を説明する図は、全体構成を説明する図１に組み立てられた状態を基準にして、正面図、側面図および平面図を規定する。
【００１６】
柵１は「梯子」状であって、胴縁１０の両端が地面２に立設された一対の柱３ａ、３ｂにそれぞれ取り付けられている。なお、図１において、縦格子３０は胴縁１０の軸方向にに対して直角に連結されているが、傾斜して連結することができるものである（すなわち、平行四辺形状になる。図示しない）また、胴縁１０の一対の柱３ａ、３ｂへの取り付け要領は限定するものではない。なお、柱３ａ、３ｂのそれぞれに共通する内容を説明する際は、添え字「ａ、ｂ」を省略して、それぞれ「柱３」と称する場合がある。また、地面２とは、文字通りの陸上の地面に限定するものではなく、海底や河床、あるいは道路、建建築物ないし機械等の構造物を含むものを指している。
【００１７】
（胴縁）
図２は本発明の実施形態１に係る柵における胴縁を示す、（ａ）は平面図、（ｂ）は正面図、（ｃ）は側面図である。図２において、胴縁１０は丸鋼管（断面円形）であって、上面（図２の（ｃ）において１２時の位置）に、縦格子３０が挿入自在（正確には、縦格子３０の凸部３９が通過自在、これについては別途詳細に説明する）な挿入孔１１が複数形成されている。
なお、挿入孔１１は縦格子３０（正確には、縦格子３０の凸部３９）が通過自在な形状である限り円形に限定するものではなく、楕円であっても、矩形（縦格子３０が角鋼管等の断面矩形状の場合）であってもよい。また、柵１が傾斜地に設置される場合には、挿入孔１１を軸方向に長い長孔や、丸孔であっても縦格子３０の外径よりも大きな孔（いわゆるバカ孔）にしておけば、縦格子３０を胴縁１０の軸方向に対して容易に傾斜させることができる。
【００１８】
また、両端部の側面（図２の（ｃ）において３時の位置および９時の位置）には通し孔１２が形成されている。そして、柱３ａ、３ｂには柵１を取り付けるための取り付け用金具（図示しない）が設置され、取り付け用金具には取り付け用孔が形成されているから、該取り付け用孔と通し孔１２とを同時に貫通する通しボルト（図示しない）によって、柱３ａ、３ｂに柵１（胴縁１０に同じ）を取り付けることが可能になる。
また、通し孔１２は胴縁１０の軸方向に長い長孔になっているから、柱３ａと柱３ｂとの施工がバラついても（間隔や平行度がズレても）、取り付けが容易になっている。
【００１９】
（縦格子）
図３は本発明の実施形態１に係る柵における縦格子を示す、（ａ）正面図、（ｂ）は側面図、（ｃ）は凹部を平面視の断面図、（ｄ）は端部の拡大側面図である。
図３において、縦格子３０は丸鋼管（断面円形）であって、両端面から所定の距離を扁平に加工し、さらに凹部３８および凸部３９が形成されている。
すなわち、凹部３８は側面の一部（図３の（ｃ）において３時の位置および９時の位置）を平面視で扁平に加工することにより形成されたものであるため、これに伴ってその直角方向（図３の（ｃ）において１２時の位置および６時の位置）には拡大した凸部３９が形成されている。
【００２０】
凹部３８の片側は側面視（図３の（ｄ）参照）において、最奥部３２（位置ｂ１、ｂ２）が所定の曲率半径に形成された略Ｖ字状（位置ａ１−ｂ１−ｃ１、位置ａ２−ｂ２−ｃ２）を呈している。すなわち、凹部３８は、中央範囲の本体部３７から最奥部に向かって略ハ字状に縮小する本体寄り縮小部３１（位置ａ１−ｂ１、位置ａ２−ｂ２）と、最奥部３２から先端に向かって略ハ字状に拡大する先端寄り拡大部３３（位置ｂ１−ｃ１、位置ｂ２−ｃ２）と、から形成されている。
さらに、縦格子３０の先端部は、先端寄り拡大部３３に連なって扁平加工したことにより本体部３７よりやや小さな寸法の先端平行部３４（位置ｃ１−ｄ１、位置ｃ２−ｄ２）と、先端平行部３４と先端面３６との角に形成された面取り部３５（位置ｄ１−ｅ１、位置ｄ２−ｅ２）と、を具備している。
【００２１】
なお、凹部３８は後記する支持材２０の狭搾部２８（これについては、別途詳細に説明する）が係止自在な限り、その形状は図示するものに限定するものではない。さらに、凹部３８の形成要領も限定するものではない。たとえば、スピニング加工等によって、円環状のくびれを形成してもよい（このとき、凸部３９は形成されない）。
また、縦格子３０の先端の対向する側面（図３の（ｃ）において３時の位置および９時の位置）は面取り部３５によってテーパ面が形成されていが、面取り部３５は対向する側面に限定するものではなく、全円周に施してもよい。
なお、後記する柵の組立から明らかなように、支持材２０に上縮小部２１が設けられている場合には、縦格子３０の面取り部３５を省略することが可能である。
【００２２】
（支持材）
図４は本発明の実施形態１に係る柵における支持材を示す正面図である。図４において、支持材２０は、ばね鋼の薄板（たとえば、厚さ０．６〜１．５ｍｍ）を曲げ加工したものであって、正面視において略Ω（オメガ）状の面対称形を呈している。図中、該面対称形は、最狭部２２を形成する位置Ｂ１、Ｂ２と、最狭部２２の上側で最狭部２２に向かって略ハ字状に縮小する上縮小部２１（位置Ａ１−Ｂ１、位置Ａ２−Ｂ２）と、最狭部２２から下方に向かって略ハ字状に拡大する下拡大部２３（位置Ｂ１−Ｃ１、位置Ｂ２−Ｃ２）と、下拡大部２３に連なって略鉛直（略平行）な平行部２４（位置Ｃ１−Ｄ１、位置Ｃ２−Ｄ２）と、平行部２４に連なる円弧状の底面部２５（位置Ｄ１−Ｅ、位置Ｄ２−Ｅ）と、を具備している。
【００２３】
すなわち、位置Ｂ１と位置Ｂ２との間隔が、位置Ｃ１と位置Ｃ２との間隔よりも狭くなっているため、上縮小部２１と最狭部２２と下拡大部２３から形成すれる範囲を、便宜上「狭搾部２８」と称す。なお、最狭部２２は、上縮小部２１から下拡大部２３に面の傾きが変わる位置に相当し、所定の曲率半径（たとえば、半径３ｍｍ）を具備している。また、支持材２０は、上側の胴縁１０ａ内に設置される場合には、上縮小部２１は上方向に向かって縮小することになる。
そして、下拡大部２３と平行部２４と底面部２５とによって囲まれた範囲を「懐部２６」と称している。
【００２４】
（柵の組立）
図５は本発明の実施形態１に係る柵の組立要領を工程を追って説明する部分正面図である。なお、上側の胴縁１０ａへの組立と下側の胴縁１０ｂへの組立とは、上下を反転すれば同一であるため、添え字「ａ、ｂ」を省略して下側の胴縁１０ｂについて説明する。
図５の（ａ）において、胴縁１０の内部に支持材２０が配置されている。すなわち、支持材２０の底面部２５は胴縁１０の内面に当接し、その上縮小部２１は胴縁１０の挿入孔１１に向かって拡大している。そして、縦格子３０は胴縁１０の挿入孔１１に挿入し、その面取り部３５の先端（下端、位置ｅ１、ｅ２）が支持材２０の上縮小部２１に当接している。
このとき、支持材２０の上縮小部２１と縦格子３０の面取り部３５とは、何れも下に向かって間隔が狭くなるように傾斜しているから、押し下げ方向の摩擦抵抗は小さくなり、縦格子３０は比較的小さな力でもって最狭部２２を押し広げながら容易に押し下げられる。そして、縦格子３０をさらに押し下げれば、今度は、縦格子３５が最狭部２２に摺動して最狭部２２を押し広げることになる。
【００２５】
図５の（ｂ）において、縦格子３０はさらに挿入し、その先端平行部３４が最狭部２２を最大幅に押し広げている。
【００２６】
図５の（ｃ）において、縦格子３０はさらに挿入し、今度は、その先端平行部３４と先端寄り拡大部３３との交差位置（位置ｃ１、ｃ２）が支持材２０の下拡大部２３に摺動している。このとき、支持材２０は弾性復元（スプリングバック）によって最狭部２２の間隔を狭めようとするため、縦格子３０には下方向の力、すなわち、懐部２６に引き込む力が作用する。
【００２７】
図５の（ｄ）において、縦格子３０の凹部３８が支持材２０の狭搾部２８に把持されている。すなわち、縦格子３０の本体寄り縮小部３１の軸方向に対する角度（傾き）と支持材２０の上縮小部２１の対称面に対する角度（傾き）とが略同じであって、縦格子３０の最奥部３２の曲率半径と支持材２０の最狭部２２の曲率半径とが略同じであって、さらに、縦格子３０の先端寄り拡大部３３の軸方向に対する角度（傾き）と支持材２０の下拡大部２３の対称面に対する角度（傾き）とが略同じであるから、支持材２０の狭搾部２８は略前面において縦格子３０の凹部３８に当接している。
よって、支持材２０は縦格子３０によって確実に把持されているため、胴縁１０から抜け出すことがない、また、当該把持部には間隙（ガタ）がないため、縦格子３０がガタつくことがない。
【００２８】
また、支持材２０の最狭部２２の間隔を縦格子３０が挿入する前の間隔よりも大きくなるようにしておけば、支持材２０は縦格子３０によって常に一定の力で把持されることになるから、抜け出しやガタが一層確実に防止される。
そして、胴縁１０の両端部が、それぞれ支柱３に設置されることにより、柵１が完成する。
【００２９】
なお、以上は、縦格子３０が胴縁１０に直角に設置される場合を示しているが、図５の（ｄ）の工程の後で、縦格子３０を胴縁１０の軸心に対して軸心を含む面内で傾斜させることができる（図示しない）。すなわち、支持材２０の狭搾部２８は、縦格子３０を傾斜させる角度に応じて押し拡げられるものの、縦格子３０の凹部３８が狭搾部２８から外れることがないから、所望の角度に傾斜することができる。
【００３０】
なお、以上は胴縁１０や縦格子が丸鋼管によって形成された場合を示しているが本発明はこれに限定するものではなく、ステンレス管、アルミニウム管、その他金属（合金を含む）管、または樹脂管であっても、あるいは、断面角形状や断面異形状であってもよい。また、胴縁１０ａと胴縁１０ｂとが同一形状である場合を示しているが本発明はこれに限定するものではなく、胴縁１０ａと胴縁１０ｂとが異なった形状（外径、断面形状）であってもよい。
さらに、縦格子３０を複数の部材（たとえば、異なった断面形状）を接合して形成し、一方の端部に形成される凹部と、他方の端部に形成される凹部の形状を相違するものにしてもよい。このとき、上側の胴縁１０ａ内に配置される支持材２０の形状と下側の胴縁１０ｂ内に配置される支持材２０の形状とは、それぞれが把持する凹部の形状に応じて設計されるものである。
【００３１】
［実施形態２：柵用パネル］
（全体構成）
本発明の実施形態２に係る柵用パネルは、実施形態１に係る柵１から支柱３を除いたものに同じであるため、図示および各構成部材の説明を省略する。
すなわち、かかる柵用パネルは、これが設置される支柱を限定するものではないため、たとえば、古い柵用パネルを更新する際の「新しい柵用パネル」として既設の支柱に設置されたり、建築物の外壁等の構造物に設置されたりすることも可能である。
【産業上の利用可能性】
【００３２】
本発明は以上の構成であるから、任意の傾きの傾斜地に設置することが可能であると共に、設置現場における施工が容易で、簡素な構成であるため製造コストが安価で、さらに、組立後のガタが最少に抑えられるから、平坦地や傾斜地に設置される柵および柵用パネルとして広く利用することができる。
【図面の簡単な説明】
【００３３】
【図１】本発明の実施形態１に係る柵を示す正面図。
【図２】図１示す柵における胴縁を示す、平面図、正面図、側面図。
【図３】図１に示す柵における縦格子を示す、正面図、側面図、平面視の断面図。
【図４】図１に示す柵における支持材を示す側面図。
【図５】図１に示す柵の組立要領を工程を追って説明する部分側面図。
【符号の説明】
【００３４】
１ 柵
２ 地面
３ 柱
１０ 胴縁
１１ 挿入孔
１２ 孔
２０ 支持材
２１ 上縮小部
２２ 最狭部
２３ 下拡大部
２４ 平行部
２５ 底面部
２６ 懐部
２８ 狭搾部
３０ 縦格子
３１ 本体寄り縮小部
３２ 最奥部
３３ 先端寄り拡大部
３４ 先端平行部
３５ 面取り部
３６ 先端面
３７ 本体部
３８ 凹部
３９ 凸部
【図１】
2007218026.tif 000003
【図２】
2007218026.tif 000004
【図３】
2007218026.tif 000005
【図４】
2007218026.tif 000006
【図５】
2007218026.tif 000007